(57)【特許請求の範囲】
【請求項１】
複数の記録層を備えた情報記録媒体であって、
テスト記録パターンが記録される第ｎ−１層目の内周パワー校正領域と、前記内周パワー校正領域に関する記録管理情報が記録される第ｎ−１層目の記録管理領域と、第ｎ−１層目のリードイン領域と、情報信号を内周側から外周側に向かって記録する第ｎ−１層目のデータ領域とをこの順番に配置した第ｎ−１層目の記録層と、
テスト記録パターンが記録される第ｎ層目の内周パワー校正領域と、前記内周パワー校正領域に関する記録管理情報が記録される第ｎ層目の記録管理領域と、第ｎ層目のリードアウト領域と、情報信号を外周側から内周側に向かって記録する第ｎ層目のデータ領域とをこの順番に配置した第ｎ層目の記録層とが積層され、
前記第ｎ−１層目および前記第ｎ層目において、前記データ領域として情報信号を記録可能な領域の最外周位置よりも内周側に、ミドルエリアの少なくとも一部、または、ミドルエリア全体と外周パワー校正領域の少なくとも一部が位置するとともに、前記ミドルエリアは前記データ領域に記録された前記情報信号の最外周位置の外周側直近に位置し、前記外周パワー校正領域は当該ミドルエリアの外周側直近に位置するよう、ミドルエリアおよび外周パワー校正領域が配置されていることを特徴とする情報記録媒体。
【発明の詳細な説明】
【技術分野】
【０００１】
本発明は、光ディスク等の情報記録媒体に関し、特に、記録パワー校正領域を有する情報記録媒体に関する。
【背景技術】
【０００２】
光学的に情報信号を情報層にディジタル記録し、記録マークまたは記録ピット（以下、記録マークと称する）により情報層に記録された情報信号を再生できる情報記録媒体は、当該記録マークの品質及び検索性の高さで普及している。また、近年動画等のように大容量の情報信号を記録する要請に応えるべく、１枚に記録できる情報量を高めた高密度記録媒体としてＤＶＤ（ディジタル・バーサタイル・ディスク）が提案され、市場ニーズに合致した点で受け容れられている。また、例えばコンピュータプログラムを予め記録した再生専用の情報媒体（例えば、ＣＤ−ＲＯＭ等）と同様に、この記録可能なＤＶＤ（以下、記録型ＤＶＤと称す）も、再生速度及び記録速度の高速化が要望されている。ところで、記録密度を高めるためには線速度一定（ＣＬＶ）方式が有利であるため、記録型ＤＶＤを記録再生する記録再生装置では、ＣＬＶ方式を基本とした記録方式（以下、ＺＣＬＶ方式等も含めＣＬＶ方式またはＣＬＶ記録方式と称す）が開発され採用されている。
【０００３】
一方、記録型ＤＶＤは、前述したように大容量の情報信号を記録するために、記録密度が高くなるよう設計されているが、高記録密度を有しているがため、記録型ＤＶＤの製造メーカが推奨する記録速度や記録パワー等の記録情報、記録に際しての記録型ＤＶＤと記録再生装置との相性及び／または記録型ＤＶＤに記録した記録再生装置の情報を、当該記録型ＤＶＤに記述すること等が要請されている。このため、データ領域（Ｄａｔａ  Ｒｅｃｏｒｄａｂｌｅ  ａｒｅａ）の内周のリードイン領域の更に内周に、記録管理情報を記述した記録管理領域（Ｒｅｃｏｒｄｉｎｇ  Ｍａｎａｇｅｍｅｎｔ  Ａｒｅａ）と、データ領域に記録した際の記録速度や照射するレーザパワー等を記述したパワー校正領域（Ｐｏｗｅｒ  Ｃａｌｉｂｒａｔｉｏｎ  Ａｒｅａ）とを備えている。このパワー校正領域は、記録管理領域の内周側に設けられ、記録速度が目標値に達した時点で、当該記録速度で情報層に照射するレーザパワー等の情報を記述する領域である。この情報は、記録再開時の記録速度に応じた照射パワーの学習のために、履歴として残される。
【０００４】
前述したように記録再生装置はＣＬＶ方式で記録するため、記録型ＤＶＤを回転させるスピンドルモータの回転数は、内周になるほど高速回転となる。従って、記録型ＤＶＤの最内周に備えるパワー校正領域では例えば４倍速の記録速度には記録履歴情報の記述はできるが、８倍速、１６倍速のように高速化が進行するとスピンドルモータの回転に限界を来たし追従できなくなり、記録履歴をパワー校正領域に記述できなくなると言う問題が想定される。
【０００５】
このようにパワー校正領域を最内周に備えるだけでは、高速化の要請に対して何れ対応できなくなる事態を鑑み、非特許文献１には、内周ディスクテスト領域（Ｉｎｎｅｒ  Ｄｉｓｃ  Ｔｅｓｔ  Ｚｏｎｅ）では対応できない記録履歴情報を記述する領域として、リードアウト領域の外周側に外周ドライブ領域（Ｏｕｔｅｒ  Ｄｒｉｖｅ  Ａｒｅａ）を新たに設け、当該外周ドライブ領域の外周ディスクテスト領域（Ｏｕｔｅｒ  Ｄｉｓｃ  Ｔｅｓｔ  Ｚｏｎｅ）に高速記録速度に対応できる記録履歴情報を記述する構成が開示されている。
【０００６】
例えば、図１７、図１８は、従来の光ディスクの断面概念図であって、図１７はＤＶＤ−Ｒの内周側の記録領域、図１８はＤＶＤ＋ＲＷの外周側の記録領域の概念図を示す。ＤＶＤ−Ｒの場合、リードインエリアの内周側にＲＭＡ領域とＯＰＣ領域が設けられている。情報記録再生装置は、データ記録開始時に最適記録パワー校正（ＯＰＣ、Ｏｐｔｉｍｕｍ  Ｐｏｗｅｒ  Ｃａｌｉｂｒａｔｉｏｎ）を行い、それにより半導体レーザの記録パワーを決定する。ここで、ＯＰＣとは、光ディスクに所定のテスト記録マークを試し書きし、そのテスト記録マークから再生されたアナログ信号のβ値に基づいて半導体レーザの記録パワーを校正する操作をいう。ＯＰＣ情報とは、ＯＰＣに関する情報で、ＯＰＣ時の記録パワー条件と記録ストラテジを含む。また、ＤＶＤ−ＲＡＭやＤＶＤ＋ＲＷの場合、内周側と外周側にディスクテストゾーンと呼ばれるＯＰＣ領域が設けられているが、図１８は外周側のみ図示している。データ容量がフルに記録された時、データ領域が半径５８ｍｍまでで、その後に、リードアウト領域が半径５８．０〜５８．０５ｍｍに記録され、ディスクテストゾーンは半径５８．１〜５８．３ｍｍに記録される。
【０００７】
ところが、記録再生光を透過する基板は、記録型ＤＶＤに限らず、ポリカーボネイト等の樹脂を射出成形することにより形成される。この射出成形で樹脂を射出するノズルは、成形型全面に樹脂が行き渡るように内周近辺に設けられている。しかしながら、成形型の表面にはトラックやエンボス等の複雑な形状を備えているため、成形型全面に樹脂が行き渡るように設計したとしても、基板の内周部と外周部とでは樹脂の供給量が異なり、外周部の成形精度が劣る。これにより、ディスク外周部の平面精度及び／またはトラックの成形精度は、内周部に比べると低下する。
【０００８】
また、従来、記録型ＤＶＤの情報層の主成分は、周知のように、書換可能型ディスクの場合は無機材料であり、追記型ディスクの場合は有機色素である。無機材料による情報層の形成には、スパッタまたは真空蒸着等のいわゆる気相堆積法が適用されるが、有機色素の場合は、一般的に、回転した基板に有機色素溶液を滴下する、いわゆるスピンコート法が適用されている。このスピンコート法は、基板の回転により発生する遠心力を利用するため、有機色素溶液は基板の内周部から滴下する。従って、特に有機色素溶液をスピンコートして形成する情報層を有する追記記録型ＤＶＤ（いわゆるＤＶＤ−Ｒ、ＤＶＤ＋Ｒ）では、外周側の情報層は内周の情報層に比べて色素溶液の供給量が不足する傾向にあるため、情報層の膜質が低下する。
【０００９】
さらに、記録型ＤＶＤに限らず樹脂成形した基板を適用した情報記録媒体の平面度は、例えばガラスのような無機材料より低い。これに起因して、ディスクの回転時に、「面ぶれ」と称される、回転軸方向にディスク面が上下動する現象が発生する。この面ぶれ現象は、外周になるほど、また、回転速度が高速になるほど大きくなる。従って、高速で外周に情報を記録する際に、面ぶれが問題となる可能性がある。
【００１０】
以上のように、重要な情報を記述する領域としては、内周の方が適性が高く、外周になるほど信頼性の観点では劣る。従って、上述の非特許文献１に開示されているように、記録型ＤＶＤの最外周に外周ディスクテスト領域（Ｏｕｔｅｒ  Ｄｉｓｃ  Ｔｅｓｔ  Ｚｏｎｅ）を新たに設け、記録速度に対応する照射パワー等の情報（記録履歴情報）を記録する従来の構成では、この情報について信頼性の保証ができないという課題がある。
【００１１】
また、記録型ＤＶＤで情報信号を記録できる情報領域（Ｉｎｆｏｒｍａｔｉｏｎ  Ａｒｅａ）は、一般的に、パワー校正領域、記録管理領域、リードイン領域、データ領域、及びリードアウト領域を言うが、前記従来の構成では、リードアウト領域の更に外周までも記録を補償する情報領域の範囲を拡大しなければならないという課題もある。
【非特許文献１】「ＤＶＤ＋Ｒ４．７Ｇｂｙｔｅｓ  Ｂａｓｉｃ  Ｆｏｒｍａｔ  Ｓｐｅｃｉｆｉｃａｔｉｏｎｓ  ｖｅｒｓｉｏｎ１．２」  （２００３年７月発行）（第４８頁１６．１  Ｐｈｙｓｉｃａｌ  Ｓｅｃｔｏｒ  Ｎｕｍｂｅｒｓ（ＰＳＮｓ）  Ｆｉｇｕｒｅ２２、第４９頁  Ｔａｂｌｅ７のＯｕｔｅｒ  Ｄｒｉｖｅ  Ａｒｅａ欄のＯｕｔｅｒ  Ｄｉｓｃ  Ｔｅｓｔ  Ｚｏｎｅ、第６０頁２１．３  Ｏｕｔｅｒ  Ｄｉｓｃ  Ｔｅｓｔ  Ｚｏｎｅ、及び第１１７頁〜第１１９頁  Ａｎｎｅｘ  Ｈ  Ｏｐｔｉｍｕｍ  Ｐｏｗｅｒ  Ｃｏｎｔｒｏｌ  ａｎｄ  Ｒｅｃｏｒｄｉｎｇ  Ｃｏｎｄｉｔｉｏｎｓ）
【発明の開示】
【００１２】
本発明は、係る従来提案されている構成が本質的に有する課題を解決し、信頼性が高いパワー校正領域を備えた情報記録媒体を提供することを目的とする。
【００１３】
上記の目的を達成するために、本発明にかかる情報記録媒体は、複数の記録層を備えた情報記録媒体であって、テスト記録パターンが記録される第ｎ−１層目の内周パワー校正領域と、前記内周パワー校正領域に関する記録管理情報が記録される第ｎ−１層目の記録管理領域と、第ｎ−１層目のリードイン領域と、情報信号を内周側から外周側に向かって記録する第ｎ−１層目のデータ領域とをこの順番に配置した第ｎ−１層目の記録層と、テスト記録パターンが記録される第ｎ層目の内周パワー校正領域と、前記内周パワー校正領域に関する記録管理情報が記録される第ｎ層目の記録管理領域と、第ｎ層目のリードアウト領域と、情報信号を外周側から内周側に向かって記録する第ｎ層目のデータ領域とをこの順番に配置した第ｎ層目の記録層とが積層され、前記第ｎ−１層目および前記第ｎ層目において、前記データ領域として情報信号を記録可能な領域の最外周位置よりも内周側に、ミドルエリアの少なくとも一部、または、ミドルエリア全体と外周パワー校正領域の少なくとも一部が位置するとともに、前記ミドルエリアは前記データ領域に記録された前記情報信号の最外周位置の外周側直近に位置し、前記外周パワー校正領域は当該ミドルエリアの外周側直近に位置するよう、ミドルエリアおよび外周パワー校正領域が配置されていることを特徴とする。
【００１４】
本発明にかかる情報記録媒体は、データ領域として情報信号を記録可能な領域の最外周位置よりも内周側に、ミドルエリアの少なくとも一部、または、ミドルエリア全体と外周パワー校正領域の少なくとも一部が位置するとともに、前記ミドルエリアは前記データ領域に記録された前記情報信号の最外周位置の外周側直近に位置し、前記外周パワー校正領域は当該ミドルエリアの外周側直近に位置するよう、ミドルエリアおよび外周パワー校正領域が配置されていることにより、従来のようにリードアウト領域よりも外周側（光ディスクの最外周）にパワー校正領域を設けた記録媒体と比較して、面振れ等の機械特性がより良好な領域でパワー校正を行うことが可能となる。これにより、情報記録再生装置が、最適な記録パワーを確実かつ短時間で決定できるという利点がある。
【発明を実施するための最良の形態】
【００１５】
本発明にかかる情報記録媒体は、複数の記録層を備えた情報記録媒体であって、テスト記録パターンが記録される第ｎ−１層目の内周パワー校正領域と、前記内周パワー校正領域に関する記録管理情報が記録される第ｎ−１層目の記録管理領域と、第ｎ−１層目のリードイン領域と、情報信号を内周側から外周側に向かって記録する第ｎ−１層目のデータ領域とをこの順番に配置した第ｎ−１層目の記録層と、テスト記録パターンが記録される第ｎ層目の内周パワー校正領域と、前記内周パワー校正領域に関する記録管理情報が記録される第ｎ層目の記録管理領域と、第ｎ層目のリードアウト領域と、情報信号を外周側から内周側に向かって記録する第ｎ層目のデータ領域とをこの順番に配置した第ｎ層目の記録層とが積層され、前記第ｎ−１層目および前記第ｎ層目において、前記データ領域として情報信号を記録可能な領域の最外周位置よりも内周側に、ミドルエリアの少なくとも一部、または、ミドルエリア全体と外周パワー校正領域の少なくとも一部が位置するとともに、前記ミドルエリアは前記データ領域に記録された前記情報信号の最外周位置の外周側直近に位置し、前記外周パワー校正領域は当該ミドルエリアの外周側直近に位置するよう、ミドルエリアおよび外周パワー校正領域が配置されていることを特徴とする。
【００１６】
以下、本発明の情報記録媒体について、より具体的な実施形態と参考例を説明する。
【００１７】
（参考例）
近年、光学式情報記録技術、すなわち、記録可能型光ディスクへのデータ記録技術が著しく発展している。それに伴い、光学式記録再生装置すなわち光ディスク記録再生装置が各種開発されている。特に、例えばＤＶＤ−ＲＡＭドライブのように、コンピュータの外部記録装置等として応用されたものが、既に広く普及し始めている。
【００１８】
記録可能型光ディスクは、追記型光ディスクと書換型光ディスクとに分類される。追記型光ディスクとは、データを一回のみ記録可能な光ディスクをいう。追記型光ディスクはＣＤ−Ｒ（Ｒｅｃｏｒｄａｂｌｅ）とＤＶＤ−ＲとＤＶＤ＋Ｒを含む。
【００１９】
追記型光ディスクでの記録マークの作成は次の通りに行われる。記録層が有機色素を含む。その有機色素は所定のパワーのレーザを照射されると分解する。その結果、特にその光学的反射率が低下する。こうして、レーザ照射を受けた記録層の部分が記録マークとなる。
【００２０】
追記型光ディスクではデータの記録が次の理由で一回に限られる。記録マークの作成時、記録層のレーザ照射部分で多量の熱が生じる。その熱は周囲の樹脂等を変形させる。それらの変形は不可逆的であるので、レーザ照射前の状態に戻すことができない。それ故、追記型光ディスクでは、データの記録が一回に限られる。
【００２１】
書換型光ディスクとは、データを書き換えて多数回記録可能な光ディスクをいう。書換型光ディスクはＣＤ−ＲＷ（Ｒｅ−Ｗｒｉｔａｂｌｅ）、ＤＶＤ−ＲＡＭ、ＤＶＤ−ＲＷ、ＤＶＤ＋ＲＷ等を含む。
【００２２】
書換型光ディスクの内、相変化記録方式によるものでは、記録マークの作成が次の通りに行われる。記録層は、結晶相とアモルファス相との二種類の固相を有する合金を含む。この記録層の光学的反射率は、一般的に、結晶相では高く、アモルファス相では低くなるように、設計される。従って、記録層の内、アモルファス相の部分が記録マークである。記録マークの作成、すなわち、結晶相からアモルファス相への転移は、次のようにして実現する。記録層に対して比較的高いパワーのレーザをパルス照射する。それにより、記録層の狭い範囲が融点以上の温度まで瞬間的に加熱され、その直後ガラス化点以下の温度まで急冷される。その結果、記録層のその狭い範囲がアモルファス相へ転移する。
【００２３】
更に、相変化記録方式による書換型光ディスクでは、既存の記録マークを次のようにして消去できる。記録マークは、上記の通り記録層のアモルファス相部分である。従って、記録マークを消去するには、記録マークの範囲でアモルファス相から結晶相へ転移させれば良い。アモルファス相から結晶相への転移は、次のようにして実現する。回転中の書換型光ディスクの記録層に対して比較的低いパワーのレーザを比較的長時間照射する。それにより、記録層の広い範囲が、ガラス化点より高く融点を超えない程度の温度、まで加熱される。その時、加熱された記録層の範囲は加熱後ゆっくりと冷える。その結果、記録層のその広い範囲が結晶相へ転移する。こうして、書換型光ディスクでは既存の記録マークを消去できる。なお、データ領域に記録されたユーザデータを消去、または記録されたユーザデータに別のユーザデータを記録（すなわち、記録されたユーザデータを消去し別のユーザデータを重ね書き）するオーバーライトを行う場合には、外周パワー校正領域における当該記録されたユーザデータに関するテスト記録パターン及び／または記録管理領域に記述された記録管理情報も消去またはオーバーライトする。
【００２４】
相変化記録方式による書換型光ディスクへの実際のデータ記録では、レーザを上記の高いパワーと低いパワーとの間で切り換えながら照射する。それにより、記録マークの消去と作成とを同時に実行して、データを光ディスクに上書きできる。
【００２５】
以下、本発明を実施するための形態について、参考例と好ましい実施例を挙げて、図面を参照しつつ、詳細に説明する。
【００２６】
（情報記録媒体）
図１に、参考例にかかる光ディスク（ＤＶＤ−Ｒ）の記録領域の概念図を示す。なお、図１は、参考例にかかるＤＶＤ−Ｒの外周側の記録領域を示すものである。
【００２７】
図１に示すように、本参考例にかかるＤＶＤ−Ｒは、リードアウトエリア６０よりも内周側に、記録履歴情報を記述する外周ＰＣＡ７０（第２のＰＣＡ）を有する。なお、図１には示されていないが、このＤＶＤ−Ｒは、ユーザエリア５０よりも内周側にリードインエリアを備え、そのさらに内周側に記録管理領域（ＲＭＡ）と内周ＰＣＡ（第１のＰＣＡ）とを備えている。
【００２８】
なお、本参考例では、ＤＶＤ−Ｒ上のインフォメーションエリアをユーザエリア５０とリードアウトエリア６０とに分類し、リードエンドデータ５４および外周ＰＣＡ７０がユーザエリア５０の一部であるものとして説明する。しかし、将来の規格では、リードエンドデータ５４および外周ＰＣＡ７０を含む領域が、「ユーザエリア」とは別の領域として定義される可能性もある。
【００２９】
図１において、内周側の図示は省略されているが、ユーザエリアには、内周側から外周側へ向かって、順次、ユーザデータ５１が記録されており、このＤＶＤ−Ｒに対して最後に記録されたユーザデータが、参照符号５２で表されるユーザデータ（最終ユーザデータ）である。最終ユーザデータ５２の外側には、ボーダアウト５３が記録されている。なお、ボーダアウトについては後述する。図１の例では、ボーダアウト５３の後端のアドレスが、ユーザデータ５１の最終アドレスである。最終ユーザデータ５２およびそのボーダアウト５３の外側には、リードエンドデータ５４が記録され、そのさらに外側に、外周ＰＣＡ７０（第２のＰＣＡ）が設けられている。リードエンドデータ５４は、ユーザデータ５１および外周ＰＣＡ７０との境界を明確にするためのデータであるので、これらと識別が可能であることを条件として、任意のデータを用いることができる。
【００３０】
従来のＤＶＤ−Ｒでは、データ領域（ユーザエリア）が半径５８ｍｍまで、リードアウト領域が５８．０〜５８．５ｍｍであったが、本参考例のＤＶＤ−Ｒは、従来ランドプリピット情報のコピーであったＲＭＤ情報の記録可能なデータ領域の最終アドレスを書き換えることで、データ領域のラストアドレスを、半径５８ｍｍ位置よりも内周側に変更する。これによって、ユーザデータの記録はＲＭＤ情報の最終アドレス位置で終了し、その後にリードエンドデータ５４を記録しても、外周ＰＣＡ７０を上書きすることはない。
【００３１】
本参考例ではユーザデータは半径５７．７ｍｍまで、リードエンドデータ５４は半径５７．９ｍｍまで、外周ＰＣＡは半径５７．９〜５８．０ｍｍとしている。つまりリードアウト領域は幅０．２ｍｍ、外周ＰＣＡは幅０．１ｍｍとなる。データ容量はリードアウト領域で約１００ＭＢ、ＰＣＡで約２０ＭＢとなる。リードエンドデータ５４の領域は、ＤＶＤプレイヤーが再生時に検出できればよいので、互換性が確保できれば、幅０．１ｍｍにすることも可能である。その際は、ユーザデータは５７．７ｍｍまで、リードエンドデータは５７．８ｍｍまで、外周ＰＣＡは５７．８〜５７．９ｍｍとなり、より内周側に外周ＰＣＡを構成することができる。
【００３２】
図２は、本参考例にかかる情報記録媒体としてのＤＶＤ−Ｒの記録領域上の物理フォーマットを示す図である。特に、図２の（ａ）はＤＶＤ−Ｒの記録領域全体の物理フォーマットを示す。ＤＶＤ−Ｒの記録領域は、最内周から外側に向けて順に、Ｒ−情報領域１００、リードインエリア２００、データ領域３００及びリードアウトエリア４００に分割されている。それぞれの領域は、整数個のＥＣＣブロックから成り、プリピットにより識別される。Ｒ−情報領域１００は、記録パワー校正領域（ＰＣＡ：Ｐｏｗｅｒ  Ｃａｌｉｂｒａｔｉｏｎ  Ａｒｅａ）１０１と記録管理情報領域（ＲＭＡ：Ｒｅｃｏｒｄｉｎｇ  Ｍａｎａｇｅｍｅｎｔ  Ａｒｅａ）１０２とを含む。
【００３３】
ＰＣＡ１０１は、後述の記録ストラテジの補正時、及び、レーザの記録パワーの校正（最適記録パワー校正（ＯＰＣ：Ｏｐｔｉｍｕｍ  Ｐｏｗｅｒ  Ｃａｌｉｂｒａｔｉｏｎ））時、所定の記録パターンを試し書きするための領域である。
【００３４】
ＲＭＡ１０２は、本参考例にかかるＤＶＤ−Ｒのファイルシステムの情報及び記録管理情報（ＲＭＤ：Ｒｅｃｏｒｄｉｎｇ  Ｍａｎａｇｅｍｅｎｔ  Ｄａｔａ）を記録した領域である。
【００３５】
リードインエリア２００はデータ領域３００の先頭を示す所定のデータを記録するための領域である。リードインエリア２００のデータは、最初の記録時に記録される一連のデータの記録終了時、すなわち、図２の（ａ）の場合であれば、タイトルＴ３のデータの記録終了時に記録される。
【００３６】
データ領域３００は、記録目的のデータを書き込むための領域である。データ領域３００は、記録時ごとにボーダゾーンＢｉ（ｉ＝１，２，３・・・）で分割されている。ボーダゾーンＢｉは、ディスク内周側のボーダアウトエリアＢｉoutと、外周側のボーダインエリアＢｉinとから成る。二つのボーダゾーンＢｉおよびＢ（ｉ＋１）の間に、一回の記録時に記録される一連のデータ、すなわち、一つのタイトルのデータが記録される。ボーダアウトエリアＢｉout及びボーダインエリアＢｉinは、対応するタイトルの記録開始時のリンキング処理で確保される。更に、それぞれの領域へのデータの書き込みは、対応するタイトルの記録終了時に実行される。なお、データ領域３００におけるリードアウトエリア４００側の末端部には、前述のリードエンドデータが記述されるリードエンド領域３１０と、外周側のＰＣＡ３２０（第２のＰＣＡ）とが設けられている。
【００３７】
リードアウトエリア４００は、データ領域３００の末尾を示す所定のデータを記録するための領域である。リードアウトエリア４００のデータは、データ領域３００への書き込みの完了時、すなわち、ファイナライズ処理時に記録される。
【００３８】
図２の（ｂ）は、ＲＭＡ１０２内の物理フォーマットの詳細である。ＲＭＡ１０２は、例えば、７０１個のＥＣＣブロックから成る。先頭のＥＣＣブロックはＲＭＡリードインエリア１０２ａである。ＲＭＡリードインエリア１０２ａは、ＰＣＡ１０１と、ＲＭＤを記録した領域１０２ｂ1〜１０２ｂ700との間の緩衝領域である。それにより、ＰＣＡ１０１上での試し書き時、誤ってＲＭＤを上書きして破壊することを防ぐ。領域１０２ｂ1〜１０２ｂ700は、それぞれ、ＲＭＤを一つのタイトルごとに記録するための領域である。
【００３９】
図２の（ｃ）は、一つのＲＭＤ内の物理フォーマットの詳細を示す図である。ＲＭＤは、一つのＥＣＣブロックから成り、それ故、１６個のセクタを含む。先頭の１セクタはリンキングロスエリアである。リンキングロスエリアには、空白を示す所定のデータ、例えば００ｈだけが記録されている。つまり、リンキングロスエリアは、別々のＲＭＤの間の緩衝領域である。それにより、一つのタイトルの記録終了後、別のタイトルの追加記録時、新たなＲＭＤを既存のＲＭＤに上書きすることを防ぐ。
【００４０】
ＲＭＤの残り１５個のセクタは、それぞれフィールドと呼ばれる領域である。それぞれのフィールドには先頭から順に、＃０から＃１４までの番号が付けられている。先頭のフィールド＃０には、本参考例にかかるＤＶＤ−Ｒの一般的な情報が記録される。例えば、ディスクステータス及びプリピット情報のコピー等が含まれる。二番目のフィールド＃１には、ＯＰＣ関連情報が記録される。
【００４１】
図２の（ｄ）はフィールド＃０内の論理フォーマットの詳細を示す図である。フィールド＃０は一つのセクタから成る。従って、フィールド＃０内に実質的に記録可能なデータは、２０４８バイト＝２ＫＢである。それぞれのデータには１バイトずつ、バイトポジション（ＢＰ）と呼ばれる通し番号＃０〜＃２０４７が付けられている。
【００４２】
ＢＰ＃０〜＃１にはＲＭＤフォーマットコードが、ＢＰ＃２にはディスクステータス（ｄｉｓｃ  ｓｔａｔｕｓ  ）、ＢＰ＃３にはリザーブが、それぞれ記録される。ディスクステータスは、ディスクの記録モードを示すものであり、未記録、ディスクアットワンス（Ｄｉｓｃ  ａｔ  ｏｎｃｅ）、インクリメンタルレコーディング（ｉｎｃｒｅｍｅｎｔａｌ  ｒｅｃｏｒｄｉｎｇ）、ファイナライズ（ｆｉｎａｌｉｚｅｄ）を識別するものである。
【００４３】
ＢＰ＃４〜＃２１には、ユニークディスクＩＤ（Ｕｎｉｑｕｅ  Ｄｉｓｃ  ＩＤ）が記録されている。ドライブがテスト記録した時の年月日、時間が記録されるものである。
【００４４】
ＢＰ＃２２〜＃１２７には、プリピット情報のコピーが、ＢＰ＃１２８〜＃２０４７にはリザーブがそれぞれ記録される。図２の（ｅ）は、プリピット情報のコピーの詳細を示す図である。
【００４５】
また、プリピット情報は、フィールド＃０〜＃１３まで存在し、その内のフィールド＃１の情報はＲＭＤの＃２２〜＃２９まで、フィールド＃２の情報はＲＭＤの＃３０〜＃３７、フィールド＃３の情報はＲＭＤの＃３８〜＃４５、というように、ＲＭＤの８バイト毎に、各フィールドの情報が入っている。なお、各フィールドには各記録速度に応じた記録パワー、記録ストラテジ情報が入っている。例えば、フィールド＃２〜＃５は１倍速に関する情報、フィールド＃６および＃７には２倍速に関する情報、フィールド＃８〜＃１３には４倍速に関する情報が入っている。なお、これはあくまでも一例であり、さらに高速の記録速度に関する情報が記録されていても良い。
【００４６】
ＢＰ＃２２のフィールドＩＤは、プリピットフィールド＃１に対応し、ＢＰ＃２３にはアプリケーションコードが、ＢＰ＃２４にはディスクフィジカルコードが、それぞれ記録される。ディスクフィジカルコードは、トラックピッチ、線速度、ディスク直径などが記録されるものである。
【００４７】
ＢＰ＃２５〜＃２７には、記録可能なデータ領域のラストアドレス情報（Ｌａｓｔ  Ａｄｄｒｅｓｓ  ｏｆ  Ｄａｔａ  Ｒｅｃｏｒｄａｂｌｅ  ａｒｅａ）が、ＢＰ＃２８には、パートバージョン（Ｐａｒｔ  Ｖｅｒｓｉｏｎ）が、ＢＰ＃２９にはリザーブが、それぞれ記録されている。ＢＰデータ領域のラストアドレス情報は、ディスクの外周側の記録可能な範囲を決定するものである。ＢＰ＃２８は、どの規格のバージョンに対応したディスクかどうか識別するためのものである。
【００４８】
ＢＰ＃２５〜＃２７に記録されているラストアドレス情報をドライブで書き換えることによって、当該ＤＶＤ−Ｒにおいて記録可能なデータ領域の範囲を変更することができる。すなわち、ＢＰ＃２５〜＃２７に記録されているラストアドレス情報を、外周ＰＣＡの最内周位置を指すアドレスに書き換えることにより、ユーザデータを記録可能な領域の範囲を内周側へ縮小し、ユーザエリアとリードアウトエリアとの境界部に外周ＰＣＡを確保することができる。また、これにより、あるドライブで本参考例のＤＶＤ−Ｒに記録を行った後、同じＤＶＤ−Ｒに対して他のドライブで記録を行おうとする際に、外周ＰＣＡが破壊されることを防止できる。
【００４９】
例えば、本参考例に対応する新しいドライブが、本参考例にかかるＤＶＤ−Ｒの外周ＰＣＡにテスト記録パターンを記録した後に、同じＤＶＤ−Ｒを従来の低速記録ドライブ（過去から市場に存在する低速記録ドライブ）に装着した場合、この低速記録ドライブは、外周にＰＣＡが存在することを認識できないため、外周ＰＣＡにユーザデータを上書きしてしまうおそれがある。しかし、本参考例に対応する新しいドライブが記録を行う度に、外周ＰＣＡよりも内周を指すように、ＲＭＤ情報の中のラストアドレス情報（ＢＰ＃２５〜＃２７）を書き換えれば、その後に同じＤＶＤ−Ｒを使用する従来の低速記録ドライブは、このラストアドレス情報が指す位置を超えるアドレスにデータを上書きすることはないので、外周ＰＣＡが破壊されることを防止できる。
【００５０】
８倍速ディスクや１６倍速ディスクなど、高速記録に対応したディスクを高速で記録する際は、外周ＰＣＡを使用する頻度が高いと考えられる。このため、ドライブがラストアドレス情報を書き換える際、外周ＰＣＡがより内周側に構成されるようにラストアドレス情報を変更することで、より安定した記録条件を求めることができる。もちろん、ディスク製造段階で、ラストアドレス情報をより内周側にして、外周ＰＣＡをより内周側に構成させることも可能である。
【００５１】
図３に、あるドライブで記録を行った後、同じディスクに他のドライブが記録を行う場合を想定し、それぞれの場合について、どちらのドライブがラストアドレス情報を書き換えるべきかを示す。なお、ＤＶＤ−Ｒのレコーディングモードとしては、ディスクアットワンス（Ｄｉｓｃ  ａｔ  ｏｎｃｅ）モードと、インクリメンタルレコーディング（ｉｎｃｒｅｍｅｎｔａｌ  ｒｅｃｏｒｄｉｎｇ）モードがあるが、ここでは、複数のドライブが１枚のディスクに記録するインクリメンタルレコーディングについて説明する。
【００５２】
図３のケース１は、先に記録を行う第１記録ドライブが外周ＰＣＡを使用し、それ以降に記録を行う第２記録ドライブも外周ＰＣＡを使用する場合である。この場合は、第１記録ドライブが、ＲＭＤのラストアドレス情報を、外周ＰＣＡの最内周位置より内周側を指すように書き換えることにより、ユーザデータを記録可能なデータ領域のラストアドレスが変更される。そして、第２記録ドライブも、外周ＰＣＡを使用する（すなわち外周ＰＣＡを正しく認識できるドライブである）ため、外周ＰＣＡは上書きされることはない。
【００５３】
ケース２は、第１記録ドライブが外周ＰＣＡを使用し、それ以降に記録を行う第２記録ドライブが内周ＰＣＡのみを使用する場合（すなわち第２記録ドライブが従来のドライブである場合）である。この場合は、第１記録ドライブが、ＲＭＤのラストアドレス情報を、外周ＰＣＡの最内周位置より内周側を指すように書き換えることにより、ユーザデータを記録可能なデータ領域のラストアドレスが変更される。第２記録ドライブは、内周ＰＣＡのみを使用し、外周ＰＣＡを使用することはない。また、ＲＭＤのラストアドレス情報が外周ＰＣＡの最内周位置より内周側を指すように書き換えられているので、第２記録ドライブがこのラストアドレス情報を超えてユーザデータを書くことはないので、外周ＰＣＡがユーザデータにより上書きされることはない。
【００５４】
ケース３は、第１記録ドライブが内周ＰＣＡのみを使用し（すなわち第１記録ドライブが従来のドライブである場合）、それ以降に記録を行う第２記録ドライブが外周ＰＣＡを使用する場合である。この場合は、第２記録ドライブが、外周ＰＣＡを使用すると共に、ＲＭＤのラストアドレス情報を、外周ＰＣＡの最内周位置より内周側を指すように書き換えることにより、ユーザデータを記録可能なデータ領域のラストアドレスが変更される。
【００５５】
ケース４は、第１記録ドライブが内周ＰＣＡのみを使用し、それ以降に記録を行う第２記録ドライブも内周ＰＣＡのみを使用する場合である。この場合は、外周ＰＣＡは使用されず、従来の低倍速記録動作と同じである。
【００５６】
以上のケース１〜４より、外周ＰＣＡを使用するドライブ（本参考例にかかるドライブ）と、外周ＰＣＡを使用しない（認識しない）従来のドライブとの間で本参考例にかかるＤＶＤ−Ｒを共用して記録を行ったとしても、全てのケースにおいて外周ＰＣＡが確保されることが分かる。
【００５７】
図４（Ａ）にＤＶＤ−Ｒの８倍速記録用サンプルディスクの半径位置（最外周部）とジッタの関係を示す。Ｘ軸にディスク半径位置、Ｙ軸にジッタを表す。記録条件は同一記録ストラテジで、各位置での最適記録パワーで記録している。半径５８．０ｍｍを超えると急激にジッタが悪化しているのが分かる。
【００５８】
図４（Ｂ）にＤＶＤ−Ｒの８倍速記録用ディスクの半径位置（最外周部）と記録パワーの関係を示す。Ｘ軸にディスク半径位置、Ｙ軸に最適記録パワーを表す。記録条件は同一記録ストラテジで、各位置での最適記録パワーで記録している。半径５８．０ｍｍを超えると急激に記録感度が悪化しているのが分かる。
【００５９】
以上のことから、半径５８．０ｍｍより内周側に外周ＰＣＡを設けてパワー校正を行うことにより、より安定した特性が得られる。
【００６０】
（情報記録再生装置）
次に、上述した参考例にかかる情報記録媒体（ここではＤＶＤ−Ｒ）の情報記録再生装置の例として、ＤＶＤ−Ｒレコーダをとりあげ、その構成および動作について説明する。［情報記録再生装置の構成］
本参考例にかかる情報記録媒体の情報記録再生装置（ＤＶＤ−Ｒレコーダ）の構成の一例を、図５に示す。図５に示す情報記録再生装置は、ピックアップ１、ヘッドアンプ２、イコライザ３、二値化器４、ＰＬＬ５、記録ストラテジ復調部６、記録ストラテジ補正部７、記録パターン決定部８、記録パルス決定部９、記録パワー条件復調部１０、β値算出部１１、記録パワー決定部１２、レーザ駆動部１３、スピンドルモータ１４、記録速度情報復調部１５、記録速度設定部１７、制御部２５等を備えている。制御部２５は、他の各部との接続の図示を省略したが、情報記録再生装置の各部に必要な制御命令等を送ることにより、情報記録再生装置の全体動作を制御する。制御部２５が行う制御動作は種々の種類に及ぶが、図５では、制御部２５のサブブロックとして、校正制御部２２と校正情報管理部２３のみを示した。校正制御部２２は、後述するように、外周ＰＣＡまたは内周ＰＣＡのいずれにおいてパワー校正を行うかを決定し、ピックアップ１やその他の必要なブロックを制御することにより、パワー校正を実行する。校正情報管理部２３は、後述するように、内周ＰＣＡと外周ＰＣＡとの間でデータのコピーを行ったり、各ＰＣＡにおけるテスト記録データの削除等を行ったりするために、ピックアップ１やその他の必要なブロックを制御する。
【００６１】
［再生系］
まず、図５に示す情報記録再生装置の再生系について説明する。
【００６２】
図５において、３０は光ディスク（ここではＤＶＤ−Ｒ）である。光ディスク３０は、スピンドルモータ１４によりその中心軸の周りに回転している。
【００６３】
光ヘッドすなわちピックアップ１は次のようにして、光ディスク３０に対してレーザを照射し、その反射光をアナログ信号へ変換する。半導体レーザ１ａが所定のパワーのレーザを出力する。その時のパワー（再生パワー）は、光ディスク３０の記録層を変質させない程度に小さい。半導体レーザ１ａから出力されたレーザＲ１は、集光レンズ１ｂ、スプリッタ１ｃ及び対物レンズ１ｄを通して、光ディスク３０の記録層に焦点を結ぶ。レーザＲ１は光ディスク３０の記録層で反射される。反射されたレーザＲ２は対物レンズ１ｄ、スプリッタ１ｃ及び検出レンズ１ｅを通して、光検出器１ｆ上に焦点を結ぶ。光検出器１ｆは反射されたレーザＲ２を検出し、アナログ信号ｄ１へ変換する。その時、アナログ信号ｄ１の振幅は、反射されたレーザＲ２の強度に実質的に比例している。
【００６４】
ピックアップ１は、ステッピングモータ（図示せず）により、光ディスク３０の半径方向に移動する。それにより、半導体レーザ１ａから出力されたレーザＲ１の焦点を光ディスク３０の半径方向に移動させる。
【００６５】
ヘッドアンプ２は、ピックアップ１からのアナログ信号ｄ１を増幅して得られるアナログ信号ｄ２を、イコライザ３へ出力する。イコライザ３は、ヘッドアンプ２からのアナログ信号ｄ２の波形を整形する。二値化器４は整形されたアナログ信号ｄ３を所定の閾値と比較して、その閾値を境に二値化する。それにより、アナログ信号ｄ３はディジタル信号ｄ４に変換される。位相同期ループ（ＰＬＬ）５はディジタル信号ｄ４と所定のクロック信号とを同期させる。データ復調部（図示せず）は、クロック信号と同期したディジタル信号ｄ５からデータを復調する。
【００６６】
［記録系］
次に、図５に示す情報記録再生装置の記録系について、一例を説明する。
【００６７】
記録パターン決定部８は、光ディスク３０への記録目的のデータに対応して、記録パターンを決定する。ここで、記録パターンとは、一定の高さの矩形パルス列をいう。記録パターンのそれぞれのパルス幅が記録マークの長さ（マーク長）を、パルス間隔が記録スペースの長さ（スペース長）を、それぞれ示す。
【００６８】
記録パルス決定部９は、記録パターン決定部８により決定された記録パターンｄ８に基づいて、記録パルスｄ９を決定する。ここで、記録パルスとは、半導体レーザ１ａから出力されるレーザパルスと実質的に同じ矩形波形のパルスをいう。記録パルスｄ９の波形は後述の通り、記録パターンｄ８の波形とは異なる。記録パルスｄ９は記録パターンｄ８に基づいて、一定の条件に従って決定される。その一定の条件を記録ストラテジ（Ｗｒｉｔｅ  Ｓｔｒａｔｅｇｙ）という。その他に、記録パルス条件又は記録パルス構造（Ｗｒｉｔｅ  Ｐｕｌｓｅ  Ｓｔｒｕｃｔｕｒｅ）ともいう。記録ストラテジの詳細については後述する。
【００６９】
記録パワー決定部１２はデータ記録時、半導体レーザ１ａのパワーを決定する。それにより決定されたパワーの値を記録パワーという。決定された記録パワーｄ１２はレーザ駆動部１３へ出力される。
【００７０】
レーザ駆動部１３は半導体レーザ１ａへの駆動電流ｄ１３を制御する。それにより、駆動電流ｄ１３は記録パワーｄ１２に対応する大きさで半導体レーザ１ａを流れる。その結果、半導体レーザ１ａは記録パワーｄ１２に相当するパワーのレーザＲ１を照射する。
【００７１】
［記録ストラテジの補正及び記録パワーの校正のための構成］
レーザ照射によって形成される記録マークの形は、記録パルス及び記録パワーだけでは一意には決まらない。例えば、記録層の冷却速度は、記録時の環境温度に依存する。更に、半導体レーザの波長は、半導体レーザの温度変動に実質的に比例して変動する。例えば、ＤＶＤ−Ｒの記録層に含まれる有機色素の光吸収特性は吸収光の波長に依存するので、レーザの波長の変動は記録層による吸収エネルギーを変動させる。その上、半導体レーザの波長及び光ディスクの構造等は通常、製品ごとに規格値の周辺でばらついている。以上のような変動因子により、記録マークの形は変動する。従って、記録パルス及び記録パワーを規格通りの記録ストラテジ及び記録パワー条件に従って定めるだけでは、記録マークの整形の精度、特にエッジの位置決めの精度を十分には上げられない。その結果、実際に記録されたデータのエラーレートを十分に低減できない。そこで、光ディスク及び光ディスク記録再生装置ごとに記録ストラテジを補正し、かつ記録パワーを校正する。それにより、最適な記録パルス及び記録パワーをそれぞれ決定する。
【００７２】
また、図５に示す情報記録再生装置は、記録ストラテジの補正及び記録パワーの校正を目的として、例えば、以下のような構成を有している。
【００７３】
β値算出部１１は、ヘッドアンプ２からの信号ｄ２のβ値を算出する。ここで、アナログ信号のβ値とは、アナログ信号の極大値ａ及び極小値ｂにより次式で定義される：
β＝（ａ＋ｂ）／（ａ−ｂ）。
【００７４】
つまり、β値は、アナログ信号波形の上下方向での中心値（（ａ＋ｂ）／２）を振幅（ａ−ｂ）で規格化したもの、に相当する。
【００７５】
更に、アナログ信号のβ値は以下の通り、半導体レーザ１ａの記録パワーを決定するパラメータである。ピックアップ１により再生されたアナログ信号ｄ１は二値化器４により所定の閾値を境に二値化される。その時、アナログ信号ｄ１の波形の上下方向での中心値が閾値からずれると、元のディジタルデータの再生精度が低下する。つまり、ディジタルデータのエラーレートがβ値に依存して変化する。従って、そのエラーレートが所定の許容値以下になるように、アナログ信号ｄ１のβ値を最適値に選択しなければならない。アナログ信号ｄ１のβ値は光ディスク３０の記録マークの光学的反射率及び形で実質上決まるので、半導体レーザ１ａから照射されるレーザＲ１の記録パワーで決まる。逆に、アナログ信号ｄ１のβ値を決めると、それらに対応する記録パワーを決定できる。アナログ信号のβ値と記録パワーとの対応関係を記録パワー条件という。
【００７６】
光ディスク３０は、規格上定められた標準記録ストラテジ及び標準記録パワー条件と共に、過去に行われたデータ記録における記録ストラテジ及び記録パワー条件の履歴を所定領域に記録している。記録ストラテジ復調部６は、ＰＬＬ５により出力されたディジタル信号ｄ５から記録ストラテジｄ６を復調し、記録ストラテジ補正部７へ出力する。一方、記録パワー条件復調部１０は、ディジタル信号ｄ５から記録パワー条件ｄ１０を復調し、記録パワー決定部１２へ出力する。
【００７７】
ジッタ検出部２０は、二値化器４からディジタル信号ｄ４ａを、ＰＬＬ５からディジタル信号ｄ４のクロック信号からのずれ、すなわちジッタｄ５ａを、それぞれ入力する。それらの入力に基づいて、ジッタ検出部２０は、ディジタル信号ｄ４のパルス前端でのジッタｄ２０ａ、及び後端でのジッタｄ２０ｂを検出し、記録ストラテジ補正部７へ出力する。
【００７８】
記録ストラテジ補正部７は、入力した記録ストラテジｄ６を内部のメモリ（図示せず）に記憶する。更に、記憶した記録ストラテジの補正時、ディジタル信号ｄ４のパルス前端でのジッタｄ２０ａ及び後端でのジッタｄ２０ｂをそれぞれ所定の許容値と比較する。その比較結果を、記録ストラテジ補正部７は、その時記憶している記録ストラテジに対応づけて前記メモリへ記憶する。その後、記録ストラテジ補正部７は、その記録ストラテジを所定の補正値だけ補正する。補正後、その記録ストラテジｄ７を記憶すると共に、記録パルス決定部９へ出力する。
【００７９】
［ＤＶＤ−Ｒへのタイトル記録動作］
図５に示す情報記録再生装置（ＤＶＤ−Ｒレコーダ）では、次のようにしてタイトル記録を実行する。
【００８０】
図６は、図５に示す情報記録再生装置（ＤＶＤ−Ｒレコーダ）が、光ディスク３０としてＤＶＤ−Ｒを用い、これにタイトルを記録する動作を示すフローチャートである。
【００８１】
＜ステップＳ１＞
まず、ＤＶＤ−ＲをＤＶＤ−Ｒレコーダへ装着する。
【００８２】
＜ステップＳ２＞
ＤＶＤ−Ｒの装着の検知後、ＤＶＤ−Ｒをスピンドルモータ１４で回転させる。ピックアップ１はまず、ＤＶＤ−ＲのＲＭＡを参照し、ＲＭＤを読み出す。
【００８３】
＜ステップＳ３＞
ＤＶＤ−Ｒレコーダのユーザが、記録速度設定部１７により記録速度を設定する。具体的には、標準記録速度３．４９ｍ／ｓに対する設定記録速度の倍率を示す正の整数ｎ０が、設定記録速度情報として入力される。
【００８４】
＜ステップＳ４＞
記録速度情報復調部１５により、ＲＭＡ内のＲＭＤの一つから記録速度情報を読み出す。好ましくは、最新のものから順に読み出される。この時読み出された記録速度情報は、上記の通り、標準記録速度３．４９ｍ／ｓに対する記録速度の倍率を示す正の整数ｎである。
【００８５】
＜ステップＳ５＞
記録速度情報復調部１５から読み出された記録速度情報ｄ１５は、制御部２５の校正制御部２２に入力され、記録速度情報ｎとして、設定記録速度情報ｎ０と比較される。記録速度情報ｎが設定記録速度情報ｎ０より大きい場合は、処理をステップＳ６へ進める。それ以外の時は、処理をステップＳ８へ進める。
【００８６】
ステップＳ４で読み出した記録速度情報と同じＯＰＣ情報から、記録ストラテジ復調部６により記録ストラテジを、記録パワー条件復調部１０により記録パワー条件を、それぞれ読み出す。記録ストラテジ復調部６は記録ストラテジｄ６を記録ストラテジ補正部７へ出力する。記録ストラテジ補正部７は記録ストラテジｄ６を補正せずにそのまま内部のメモリに記憶した後、記録パルス決定部９へ出力する。一方、記録パワー条件復調部１０は記録パワー条件を記録パワー決定部１２へ出力する。
【００８７】
＜ステップＳ６＞
制御部２５の校正制御部２２の制御により、ＤＶＤ−Ｒの外周部へ光ピックアップ１を移動させ、外周ＰＣＡ内で既に記録された領域を読み取り、パワー校正を実行するための、外周ＰＣＡの未記録領域をサーチする。書き換え型のディスクの場合は、ＰＣＡの記録領域を使い切った場合は上書きするが、ＤＶＤ−Ｒ／ＲＷでは、記録領域がどこまで使用されているかの情報は存在しないため、外周ＰＣＡを再生することにより、未記録領域をサーチする。なお、このとき、外周ＰＣＡに既に記録されているテスト記録パターンも読み出す。
【００８８】
＜ステップＳ７＞
ＤＶＤ−Ｒの外周ＰＣＡの記録開始位置はラストアドレス情報に基づいて決定され、外周ＰＣＡの最外周から記録される。記録される信号は、８−１４変調ランダム信号や、３Ｔ信号と１４Ｔ信号の混合パターン等である。記録パワーの校正は次のように行う。記録パターン決定部８が、テスト記録パターンｄ８を出力する。記録パルス決定部９が、テスト記録パターンｄ８に基づき、テスト記録パルスｄ９を決定する。次に、記録パワー決定部１２が、記録パワーを所定の初期値に設定する。ただし、この初期値としては、目標のβ値に対応する記録パワーを、記録パワー条件から選択しておく（例えば、目標のβ値は、記録パワー条件復調部１０で復調した記録パワー条件に含まれる等）。記録パワーｄ１２に相当するレーザ光をディスクに照射し、テスト記録マークをＰＣＡに作成する。
【００８９】
ピックアップ１は、ＰＣＡのテスト記録マークに再生パワーのレーザ光を照射し、反射光を得る。反射光は、アナログ信号ｄ１に変換され、ヘッドアンプ２がアナログ信号ｄ２を出力する。β値算出部１１は、アナログ信号ｄ２に基づき、β値ｄ１１を算出する。記録パワー決定部１２は、算出したβ値を記憶する。その後、記録パワーを初期値から所定パワー幅で１ステップずつ変化させて、上記過程を繰り返す。例えば、記録パワー条件から最適記録パワーを３０ｍＷと読み取った場合、２８ｍＷから３２ｍＷまで１セクタ０．５ｍＷ幅毎に記録すると９ステップとなり、９セクタが割り当てられる。こうすることで、１ＥＣＣブロック（＝１６セクタ）内で記録が完結するようになる。記録後直ちに再生を行い、その結果、最も特性のよい記録パワーとβ値とを記録パワー決定部１２で選択する。このように、記録パワーの変化回数（ステップ数）とβ値との対応表、すなわち新たな記録パワー条件が得られる。その新たな記録パワー条件から目標のβ値に対応する最適記録パワーが選択される。
【００９０】
＜ステップＳ８＞
制御部２５の校正制御部２２が、決定された記録速度で、内周ＰＣＡでテスト記録可能かどうか判断する。記録速度が高い場合や、内周ＰＣＡで特性が得られない場合は、ステップＳ６に進み、外周ＰＣＡへ移動してテスト記録する。
【００９１】
＜ステップＳ９＞
内周ＰＣＡで最適パワーを算出するため、ＯＰＣが実行される。
【００９２】
＜ステップＳ１０＞
記録パワー決定後は、ＲＭＡより復調された記録ストラテジおよびメモリに記録された記録ストラテジでテスト記録を行う。この際、記録速度に応じたテスト記録が内周ＰＣＡおよび外周ＰＣＡで記録される。
【００９３】
＜ステップＳ１１＞
記録ストラテジを決定する。
【００９４】
＜ステップＳ１２＞
ストラテジを決定した後、内周に移動してデータ記録を開始する。
【００９５】
＜ステップＳ１３＞
データ記録終了後、校正情報管理部２３が、内周と外周でＰＣＡに記録された最適記録情報をＲＭＡおよび記録再生装置のメモリに記録する。
【００９６】
以上のステップＳ１〜Ｓ１３により、ＤＶＤ−Ｒへのタイトル記録が完了する。
【００９７】
なお、ステップＳ１０では、ＤＶＤ−Ｒ３０から推奨記録ストラテジ及び推奨記録パワー条件を読み出す。ここで、推奨記録ストラテジ及び推奨記録パワー条件としては、例えば、次のようなものを選択できる。ＤＶＤ−Ｒ３０のＲＭＤのフィールド＃１を参照し、ドライブに関する情報を読み出す。それらの情報から、ＤＶＤ−Ｒ３０に記録された記録ストラテジ及び記録パワー条件の内、同じＤＶＤ−Ｒレコーダで記録されたものがあるかどうか判別する。もしあれば、それらを推奨記録ストラテジ及び推奨記録パワー条件として採用する。その他に、同じ機種のＤＶＤ−Ｒレコーダで記録された記録ストラテジ又は記録パワー条件があれば、それらを採用しても良い。
【００９８】
こうして、図５に示す情報記録再生装置（ＤＶＤ−Ｒレコーダ）は、新たなタイトル記録時、ＤＶＤ−Ｒ３０に記憶された履歴から、設定記録速度と等しい記録速度での記録時に採用された記録ストラテジ及び記録パワー条件を読み出して再び採用できる。それにより、記録ストラテジ及び記録パワー条件の最適値からのずれの内、記録速度の相違に起因する部分を補償し直さなくても良い。その結果、記録ストラテジ及び記録パワー条件の決定を早くできる。また、外周ＰＣＡと内周ＰＣＡの両方の情報を共有比較できることから高速記録に対応した記録条件を精度良く決定することができる。
【００９９】
ＤＶＤ−ＲやＤＶＤ−ＲＷディスクが記録再生を行う際、線速度一定のＣＬＶ（ｃｏｎｓｔａｎｔ  ｌｉｎｅｒ  ｖｅｌｏｃｉｔｙ）方式のため、外周でのディスク回転数に比べて、内周での回転数は半径に反比例して上昇する。ディスクを高速で回転させると、モータ回転音や振動が増大しメカノイズが発生することから、内周から中周の所定の半径位置までは、低速で記録し、中周から最外周では高速で記録するＺｏｎｅＣＬＶ方式が採用されている。ＺｏｎｅＣＬＶ方式の場合、例えば内周側は４倍速で記録し、外周側は８倍速で記録するためには、内周ＰＣＡで４倍速のテスト記録を行った後、外周ＰＣＡで８倍速のテスト記録を行い、最適記録パワーやβ値を決定後、データ領域での記録を開始することも好ましい。もちろん、中周は６倍速で記録してもよい。６倍速を内周ＰＣＡと外周ＰＣＡのどちらを使用するかは、記録再生装置のディスクを回転させるモータ回転数の上限性能やサーボの面振れ、偏芯の追従性能によって判断される。
【０１００】
データ記録終了後、内外周ＰＣＡで決定した最適記録パワーやβ値などの記録履歴情報を内周にある記録管理情報（ＲＭＤ：Ｒｅｃｏｒｄｉｎｇ  Ｍａｎａｇｅｍｅｎｔ  Ｄａｔａ）領域に、内外周ＰＣＡのどちらの領域で記録したかの選択情報および記録速度を関連付けして記録することも好ましい。これにより、そのディスクを記録再生装置より一旦取り出した後に、再度挿入して記録開始する際にも、ＲＭＤを見ることによって、内外周での記録パワーが分かる。従って、テスト記録は不要となり、記録開始時間を短縮することができる。また、ＤＶＤ−Ｒの様なライトワンス系のディスクではＰＣＡが有限であるが、上記の構成によれば、ディスクを脱着する度にテスト記録を行う必要がなくなり、ＰＣＡを消費する心配がない。
【０１０１】
また、ＤＶＤ−Ｒの様な有機色素系のディスクでは、スピンコートで色素膜が形成されるため、内外周で膜厚の違いが発生し、記録感度の差が発生してしまう。これに対して、内周ＰＣＡで低速記録し、外周でも同じ低速で記録し、ディスクの記録パワーの感度差を直線近似することにより、例えば中周までの記録パワーを補正することができる。内周では高速記録はできないが、同じ様に直線近似式を高速記録する際にも適応することによって、例えば中周から最外周までの記録パワーを補正することができる。
【０１０２】
また、校正情報管理部２３の制御により、内周ＰＣＡに記録されたテスト記録パターンを外周ＰＣＡにコピーすることによって、内周ＰＣＡがディスク表面の傷や汚れによって再生できない状態になった場合でも、外周にテスト記録パターンが残っていれば、指定された記録速度に対して記録可能とすることができる。なお、外周ＰＣＡの情報も内周ＰＣＡにコピーすると、外周ＰＣＡがディスク表面の傷や汚れによって再生できない状態になった場合でも、内周ＰＣＡにテスト記録パターンが残っているため、記録可能とすることもできる。内周ＰＣＡに記録されたテスト記録パターンを外周ＰＣＡにコピーするのは、（１）データ領域へのデータ記録前と、（２）データ領域へのデータ記録終了後、との二つの場合があるが、記録開始までの時間を短縮することを考えると、（２）のタイミングでコピーすることが望ましい。内周ＰＣＡに記録されたテスト記録パターンを外周ＰＣＡにコピーするタイミングは、（１）外周ＰＣＡにテスト記録パターンを記録するとき、（２）新たな記録速度で記録するとき、（３）新たな情報記録再生装置で記録するとき、（４）所定の記録動作回数毎、（５）記録動作を行う度毎、の５つの場合であるが、上述のように傷や汚れといった不慮の不具合を救済するには、（５）が好ましい。また、外周ＰＣＡに記録されたテスト記録パターンを内周ＰＣＡにコピーする際も、同様である。
【０１０３】
また、ＰＣＡだけでなくＲＭＡも外周側に設け、ＲＭＡの記録管理情報も、内周ＲＭＡから外周ＲＭＡにコピーしておくことが好ましく、外周ＲＭＡから内周ＲＭＡにコピーするとさらに好ましい。内周ＲＭＡに記述された記録管理情報を外周ＲＭＡにコピーするのは、前述のＰＣＡと同様に（１）データ領域へのデータ記録前と、（２）データ領域へのデータ記録終了後、との二つの場合があるが、記録開始までの時間を短縮することを考えると、（２）のタイミングでコピーすることが望ましい。内周ＲＭＡに記録された記録管理情報を外周ＲＭＡにコピーするタイミングも、前述のＰＣＡと同様に、（１）外周ＲＭＡに記録管理情報を記述するとき、（２）新たな記録速度で記録するとき、（３）新たな情報記録再生装置で記録するとき、（４）所定の記録動作回数毎、（５）記録動作を行う度毎、の５つの場合であるが、上述のように傷や汚れといった不慮の不具合を救済するには、（５）が好ましい。また、外周ＲＭＡに記述された記録管理情報を内周ＲＭＡにコピーする際も、同様である。
【０１０４】
記録再生装置にディスク挿入後、内周ＰＣＡでのパワー校正と外周ＰＣＡでのパワー校正のどちらを先に実行するかはドライブ設計により異なる。内周ＰＣＡを先に実行する利点は、光ピックアップがディスクを記録再生する前に読み込むリードインエリア側に内周ＰＣＡが配置されるため、内周ＰＣＡでのパワー校正を先に実行し、高速記録の指令が出てから外周ＰＣＡでのパワー校正を実行することで低速記録から高速記録への移行がスムーズに行える点である。また、内周では高速での記録再生が困難であるため、テスト記録パターンを内周では低速で再生し、外周では高速で再生するというように、内周ＰＣＡと外周ＰＣＡとを使い分けることによって、読み取り時間の短縮を図ることができる。
【０１０５】
なお、本参考例では、単層ディスクを例示したが、複数の記録層を有するディスクであって、複数の記録層の全てについて内周側から外周側へ記録を行うディスクに対しても、本参考例の記録方式を適用可能である。すなわち、複数の記録層のそれぞれを図１に示したようなエリア構造とし、各記録層への記録の際に、記録速度等に応じて当該記録層の内周ＰＣＡと外周ＰＣＡとを使い分けるようにすれば良い。
【０１０６】
（実施形態）
本発明の実施形態にかかる光ディスク（ＤＶＤ−Ｒ）について、以下に説明する。
【０１０７】
図７に示すように、本実施形態にかかる光ディスク４０は、記録層として、記録層Ｌ０およびＬ１を有する二層ディスクである。すなわち、光ディスク４０は、透明基板４１の表面に、記録層Ｌ０、半透過層４２、中間層４３、記録層Ｌ１、反射層４４、保護層４５を、この順に積層した構成である。記録再生時には、透明基板４１側からレーザ光が入射する。
【０１０８】
この光ディスク４０では、記録層Ｌ０と記録層Ｌ１とは、トラックのスパイラル方向が逆になっている。すなわち、記録層Ｌ０に対してデータを記録する際は、内周側から外周側へ記録が進行するが、記録層Ｌ１に対してデータを記録する際は、外周側から内周側へ記録が進行する。
【０１０９】
このような二層ディスクに対するユーザデータの記録方法としては、以下の４通りがある。第１の方法は、図８（Ａ）に示すように、記録層Ｌ０のデータエリアの最内周から外周側へ向かって記録を開始し、記録層Ｌ０のデータエリアの最外周まで記録が完了すると、記録層Ｌ１のデータエリアの最外周から内周側へ向かってユーザデータの記録を継続して行う方法である。
【０１１０】
第２の方法は、光ディスクに対してデータを複数回にわたって記録する方法であり、図８（Ｂ）に示すように、記録層Ｌ０のデータエリアの最内周から外周側へ向かって記録を開始する。そして、１回の記録を終了した後に、次の記録を開始する際は、記録層Ｌ０では、前回の記録によってユーザデータの記録が完了している領域よりも外周側から記録を再開し、記録層Ｌ０のデータエリアの最外周まで記録が完了すると、記録層Ｌ１のデータエリアの最外周からユーザデータの記録を開始する。そして、記録層Ｌ１では、前回の記録によってユーザデータの記録が完了している領域よりも内周側から記録を再開し、内周側へ向かってユーザデータの記録を行う。
【０１１１】
第３の方法は、第１の方法と同様に記録層Ｌ０のデータエリアの最内周から記録を開始するが、記録層Ｌ０のデータエリアの最外周へ到達しないうちに、記録層Ｌ１へ移動して折り返し記録を行う方法である。この方法は、記録しようとするユーザデータの容量が分かっている場合に有効であり、記録層Ｌ０から記録層Ｌ１への折り返しは、一般に、記録しようとするユーザデータが均等に記録層Ｌ０，Ｌ１へ記録されるようになされる。これにより、ファイナライズ時にデータエリアの未記録領域をダミーデータで埋める処理に要する時間を短縮することができ、ユーザデータの記録を短時間で完了できるという利点がある。
【０１１２】
第４の方法は、第２の方法と同様に記録層Ｌ０のデータエリアの最内周から記録を開始し、記録が完了した領域の後ろに続けて記録を行っていく方法であるが、記録層Ｌ０のデータエリアの最外周へ到達しないうちに、記録層Ｌ１へ移動して折り返し記録を行う点で、第２の方法と異なる。この方法は、例えば、直径１２ｃｍのＤＶＤ−Ｒにおいて半径４ｃｍ以内の領域を実質的な情報エリアとして使用する場合等に有効である。この場合、例えば、情報記録面において情報エリアとして使用しない領域（例えば半径４ｃｍより外側の領域）に、作図機能を持つライティングソフトを用いて、ユーザが所望の画像をビットマップとして描画すること等が可能となる。また、直径１２ｃｍのＤＶＤ−Ｒを、８ｃｍ複層ＤＶＤ−ＲＯＭとして、例えばソフト開発用のプリマスター等の用途に用いることも可能である。また、図８（Ｅ）に示すように、記録層Ｌ０の最内周から記録を開始し、所定の位置で記録層Ｌ１へ移動して折り返し記録し、ファイナライズせず、折返し記録を連続して繋ぐ方法が考えられる。これにより、ファイナライズの時間を短縮できるだけでなく、未記録領域が少なくなるため、ユーザ記録領域を無駄にすることなく、有効に使用することができる。ファイナライズ前に機器から光ディスク取り出した場合でも、常に記録層Ｌ１にデータが記録されている状態になるため、ＲＯＭディスクとの互換性が比較的高くなる。
【０１１３】
なお、第１および第３の方法は、光ディスクに対してデータを１回で書き込むため、ディスク・アット・ワンス（Disc at once）記録と呼ばれる。一方、第２および第４の方法は、光ディスクに対して逐次データを追記していくため、インクリメンタル（Incremental）記録と呼ばれる。
【０１１４】
図９は、参考例として、上述の第１または第２の方法による記録が行われた場合、すなわち、記録層Ｌ０のデータエリアの最外周まで記録が完了した後に、記録層Ｌ１のデータエリアの最外周から記録を開始する場合について、光ディスク４０の記録層Ｌ０、Ｌ１のエリア構造を示す断面模式図である。なお、図９は、光ディスク４０の半径断面を示すものであり、図９における左側が光ディスク４０の内周側であり、右側が光ディスク４０の外周側である。
【０１１５】
この場合、図９に示すように、記録層Ｌ０は、内周側から外周側へ向かって、内周ＰＣＡ（インナー・ディスク・テスティング・エリア）８１、ＲＭＡ８２、リードインエリア８３、データエリア８４、ミドルエリア（中間領域）８５、外周ＰＣＡ（アウター・ディスク・テスティング・エリア）８６を有している。また、記録層Ｌ１は、内周側から外周側へ向かって、内周ＰＣＡ９２、ＲＭＡ９１、リードアウト９０、データエリア８９、ミドルエリア８８、外周ＰＣＡ８７を有している。図９において、Ｐout0は、データエリア８４の最外周位置、すなわち、記録層Ｌ０においてユーザデータを記録可能な領域の最外周位置を示す。また、Ｐout1は、データエリア８９の最外周位置、すなわち、記録層Ｌ１においてユーザデータを記録可能な領域の最外周位置を示す。例えば直径１２ｃｍのディスクの場合であれば、Ｐout0はディスク中心から例えば５８．０８ｍｍの位置にあり、Ｐout1はディスク中心から５８．００ｍｍ〜５８．０８ｍｍの位置にある。
【０１１６】
この光ディスク４０へデータを記録する場合、光ディスク記録再生装置は、記録層Ｌ０へのデータ記録を開始する前に、記録層Ｌ０の内周ＰＣＡ８１または外周ＰＣＡ８６を用いてテスト記録を行うことにより、レーザの記録パワーを校正する。ここで、１倍速または２倍速の低速記録を行う場合であれば、内周ＰＣＡ８１でテスト記録を行うことが可能であるが、例えば４倍速以上の高速記録を行う場合、光ディスクを回転させるスピンドルモータの性能があまり高くないドライブでは、スピンドルモータの回転数が限界に達する等の理由で、内周ＰＣＡでテスト記録ができない場合がある。このような場合は、外周ＰＣＡ８６を用いることが好ましい。なお、１倍速または２倍速のような低速記録の場合であっても、外周ＰＣＡ８６を用いることに差し支えはない。その後、記録層Ｌ０について適切に校正された記録パワーに従って、記録層Ｌ０のデータエリア８４へユーザデータを記録する。そして、記録層Ｌ０への記録を完了し、記録層Ｌ１への記録を開始する前に、記録層Ｌ１の内周ＰＣＡ９２または外周ＰＣＡ８７を用いてテスト記録を行うことにより、レーザの記録パワーを再度校正する。その後、記録層Ｌ１に対して適切に校正された記録パワーに従って、記録層Ｌ１のデータエリア８９へユーザデータを記録する。記録層Ｌ１についても、１倍速または２倍速の低速記録を行う場合であれば、内周ＰＣＡ９２でテスト記録を行うことが可能であるが、４倍速以上の高速記録を行う場合であれば、外周ＰＣＡ８７を用いることが好ましい。なお、１倍速または２倍速のような低速記録の場合であっても、外周ＰＣＡ８７を用いることに差し支えはない。
【０１１７】
あるいは、光ディスク記録再生装置は、データ記録を開始する前に、記録層Ｌ０および記録層Ｌ１の両方について、内周ＰＣＡおよび／または外周ＰＣＡを用いたテスト記録を行うことにより、各記録層に対するレーザ記録パワーを校正し、その後、記録層Ｌ０，Ｌ１のそれぞれに対して、校正されたレーザ記録パワーに従って記録を実行するようにしても良い。
【０１１８】
あるいは、インクリメンタル記録の場合は、まず記録層Ｌ０の内周ＰＣＡおよび／または外周ＰＣＡを用いたパワー校正を行った上で記録層Ｌ０へのデータ記録を行い、記録層Ｌ０から記録層Ｌ１へ移動して記録を行うことが分かった時点で、記録層Ｌ１の内周ＰＣＡおよび／または外周ＰＣＡを用いたパワー校正を行うようにしても良い。
【０１１９】
なお、リードイン８３、ミドルエリア８５，８８、リードアウト９０については、ファイナライズ時に光ディスク記録再生装置が記録しても良いし、光ディスク４０の製造時に所定のデータが予め記録されていても良い。
【０１２０】
図１０は、上述の第３または第４の方法による記録が行われた場合、すなわち、記録層Ｌ０のデータエリアの最外周まで記録が完了する前に記録層Ｌ１への記録を開始する場合について、光ディスク４０の記録層Ｌ０、Ｌ１のエリア構造を示す断面模式図である。なお、図１０も、光ディスク４０の半径断面を示すものであり、図１０における左側が光ディスク４０の内周側、右側が光ディスク４０の外周側である。
【０１２１】
この場合、図９と図１０とを比較することから分かるように、第３および第４の方法による記録が行われた場合は、記録層Ｌ０において、データエリア８４としてユーザデータを記録可能な領域の最外周位置Ｐout0よりも内周側にミドルエリア８５および外周ＰＣＡ８６の少なくとも一部が位置するよう、ミドルエリア８５および外周ＰＣＡ８６の全体が、内周側へシフトされている。シフトされたミドルエリアをシフティッド・ミドル・エリア、シフトされた外周ＰＣＡをフレキシブル・アウター・ディスク・テスティング・エリアと呼ぶ。すなわち、ミドルエリア８５は、記録層Ｌ０のデータエリア８４においてユーザデータが記録されている最外周位置の外周側直近に確保され、外周ＰＣＡ８６は、ミドルエリア８５の外周側直近に確保されている。また、記録層Ｌ１においては、データエリア８９としてユーザデータを記録可能な領域の最外周位置Ｐout1よりも内周側にミドルエリア８８および外周ＰＣＡ８７の少なくとも一部が位置するよう、ミドルエリア８８および外周ＰＣＡ８７の全体がシフトされている。すなわち、ミドルエリア８８は、記録層Ｌ１のデータエリア８９においてユーザデータが記録されている最外周位置の外周側直近に確保され、外周ＰＣＡ８７は、ミドルエリア８８の外周側直近に確保されている。ミドルエリア８５，８８の幅は、リードアウトの幅とほぼ等しく、０．２ｍｍ程度以上確保されていることが好ましく、０．４ｍｍ程度が望ましい。ミドルエリア８５，８８は、リードアウトと同様にダミーデータが記録される領域である。０．２ｍｍ程度の幅があれば、光ディスク記録再生装置が、当該領域に有意なデータが記録されていないことを認識できるが、光ディスク記録再生装置及び／または光ディスク再生装置による認識の確実性を求めるのならば０．４ｍｍ程度を要するからである。
【０１２２】
また、光ディスク４０の製造時に、ユーザデータを記録可能な領域の最外周位置Ｐout0，Ｐout1の外周側直近に、ミドルエリアであることを表すダミーデータ（図１１におけるミドルエリア９３，９４）が予め記録されている場合もある。この場合、上述の第３または第４の方法による記録を行って外周ＰＣＡ８６，８７を内周側へシフトさせる場合は、図１１に示すように、製造時に記録済みのミドルエリア９３，９４よりも内周側にミドルエリア８５，８８および外周ＰＣＡ８６，８７の全体をシフト配置すれば良い。
【０１２３】
図１０または図１１に示すように、第３または第４の方法による記録の場合も、光ディスク記録再生装置は、記録層Ｌ０へのデータ記録を開始する前に、記録層Ｌ０の外周ＰＣＡ８６を用いてテスト記録を行うことにより、レーザの記録パワーを校正する。ここで、１倍速または２倍速の低速記録を行う場合であれば、内周ＰＣＡ８１でテスト記録を行うことが可能であるが、４倍速以上の高速記録を行う場合であれば、外周ＰＣＡ８６を用いることが好ましい。なお、１倍速または２倍速のような低速記録の場合であっても、外周ＰＣＡ８６を用いることに差し支えはない。その後、記録層Ｌ０について適切に校正された記録パワーに従って、記録層Ｌ０のデータエリア８４へユーザデータを記録する。そして、記録層Ｌ０への記録を完了し、記録層Ｌ１への記録を開始する前に、記録層Ｌ０の外周ＰＣＡ８７を用いてテスト記録を行うことにより、レーザの記録パワーを再度校正する。その後、記録層Ｌ１に対して適切に校正された記録パワーに従って、記録層Ｌ１のデータエリア８９へユーザデータを記録する。記録層Ｌ１についても、１倍速または２倍速の低速記録を行う場合であれば、内周ＰＣＡ９２でテスト記録を行うことが可能であるが、４倍速以上の高速記録を行う場合であれば、外周ＰＣＡ８７を用いることが好ましい。なお、１倍速または２倍速のような低速記録の場合であっても、外周ＰＣＡ８７を用いることに差し支えはない。
【０１２４】
なお、図９および図１０において、斜線を付して示した領域は、データが記録されていない未記録領域である。また、記録層Ｌ１においてＸで示した領域は、記録層Ｌ０からの影響を考慮して設けられたバッファ領域である。すなわち、図９および図１０において、ＲＭＡ９１の両端、データエリア８９の両端、および内周ＰＣＡ９２の最内周側にそれぞれ設けられたバッファ領域は、その直下の記録層Ｌ０にデータが記録されていると記録時のレーザ光強度が弱まって記録条件が変化する可能性があるため、これらのバッファ領域にはデータを記録しないことが好ましい。また、図９および図１０において、記録層Ｌ０およびＬ１においてＹで示した領域は、以下に詳述するが、記録層Ｌ０の内周ＰＣＡおよび外周ＰＣＡにおけるテスト記録領域と、記録層Ｌ１の内周ＰＣＡおよび外周ＰＣＡにおけるテスト記録領域とが、光ディスク４０の記録面に垂直な方向に互いに重ならないようにするためのバッファ領域である。なお、バッファ領域は必ずしも設けなくても良い。
【０１２５】
ここで、外周ＰＣＡ８６，８７の内部構成について、図１２および図１３を参照しながら説明する。なお、外周ＰＣＡ８６，８７の内部構成は、図９に示す場合と図１０に示す場合とにおいて共通である。
【０１２６】
図１２に示すように、記録層Ｌ０の外周ＰＣＡ８６には、７０８８個のテスト記録フィールド（♯１〜♯７０８８）からなるテスト記録実行領域８６ａが存在する。各テスト記録フィールドには、パワー校正のために、１ＥＣＣブロック（１６セクタ）のデータを記録可能である。図１２において、左側が内周側、右側が外周側である。そして、外周ＰＣＡ８６に対するテスト記録は、外周ＰＣＡ８６の外周側のテスト記録フィールドから内周側へ向かって、すなわちテスト記録フィールド♯１，♯２，♯３・・・の順に、順次実行される。各テスト記録フィールドに対するテスト記録は、図１２に示すように、記録層Ｌ０におけるトラックの進行方向に沿って（内周側から外周側へ向かって）、実行される。つまり、テスト記録フィールドのそれぞれにおける１６個のセクタ（♯０〜♯１５）のうち、内周側から１番目（♯０）および２番目（♯１）のセクタを除く最大１４個のセクタに対して、内周側から外周側へ向かって順次テスト記録が実行される。
【０１２７】
一方、記録層Ｌ１の外周ＰＣＡ８７にも、図１３に示すように、７０８８個のテスト記録フィールド（♯１〜♯７０８８）からなるテスト記録実行領域８７ａが存在する。各テスト記録フィールドには、パワー校正のために、１ＥＣＣブロック（１６セクタ）のデータを記録可能である。図１３においても、左側が内周側、右側が外周側である。そして、外周ＰＣＡ８７に対するテスト記録は、記録層Ｌ０の外周ＰＣＡ８６とは逆に、光ディスク４０の内周側から外周側へ向かって、テスト記録フィールド＃１，♯２，♯３・・・の順に、順次実行される。各テスト記録フィールドに対するテスト記録は、図１３に示すように、記録層Ｌ１におけるトラックの進行方向に沿って（外周側から内周側へ向かって）、実行される。つまり、テスト記録フィールドのそれぞれにおける１６個のセクタ（♯０〜♯１５）のうち、外周側から１番目（♯０）および２番目（♯１）のセクタを除く最大１４個のセクタに対して、外周側から内周側へ向かってテスト記録が順次実行される。
【０１２８】
なお、記録層Ｌ０の外周ＰＣＡ８６のテスト記録実行領域８６ａと、記録層Ｌ１の外周ＰＣＡ８７のテスト記録実行領域８７ａは、図９および図１０に示すように、光ディスク４０のディスク面に垂直な方向において互いに重ならないように配置されている。また、記録層Ｌ０の外周ＰＣＡ８６において、テスト記録実行領域８６ａ以外の領域８６ｂは、未記録状態とされる。これは、以下の理由による。すなわち、記録層Ｌ０の領域８６ｂにテストパターンとして何らかのデータが記録されると、その直上の記録層Ｌ１にテスト記録を行う際に、テスト記録実行領域８６ｂに記録されたテストパターンによって、レーザ光の透過率が変化してしまう。つまり、記録層Ｌ１の実効パワーが記録層Ｌ０の記録状態によって変動し、正確なパワー校正が困難となるからである。もちろん、領域８６ｂを記録層Ｌ０のテスト記録実行領域とし、領域８７ｂを記録層Ｌ１のテスト記録実行領域としても構わない。
【０１２９】
なお、上述では、外周ＰＣＡ８６，８７の構造について説明したが、内周ＰＣＡ８１，９２も外周ＰＣＡ８６，８７と同様の構造を有するため、図を用いた詳細な説明は省略する。記録層Ｌ０の内周ＰＣＡ８１については、外周ＰＣＡ８６と同様に、外周側のテスト記録フィールドから順にテスト記録が実行されるが、各テスト記録フィールドのセクタに対する記録順序は、記録層Ｌ０のトラックの進行方向すなわち内周側から外周側へ向かう方向である。記録層Ｌ１の内周ＰＣＡ９２については、外周ＰＣＡ８７と同様に、内周側のテスト記録フィールドから順にテスト記録が実行されるが、各テスト記録フィールドのセクタに対する記録順序は、記録層Ｌ１のトラックの進行方向すなわち外周側から内周側へ向かう方向である。また、内周ＰＣＡ８１と内周ＰＣＡ９２についても、それぞれのテスト記録実行領域が、光ディスク４０のディスク面に垂直な方向において互いに重ならないように配置されている。
【０１３０】
以上の構成にかかる光ディスク４０にデータを記録する際に、光ディスク記録再生装置は、参考例と同様に、比較的低速（例えば１倍速あるいは２倍速）で記録を行う場合は、内周ＰＣＡ８１，９１を用い、比較的高速（例えば２倍速以上）で記録を行う場合は、外周ＰＣＡ８６，８７を用いたテスト記録により、レーザの記録パワーを校正することが好ましい。
【０１３１】
また、図８（Ｃ）、図８（Ｄ）、および図８（Ｅ）に示した記録方法により、図１０に示すとおり、記録層Ｌ０のミドルエリア８５および外周ＰＣＡ８６と、記録層Ｌ１のミドルエリア８８および外周ＰＣＡ８７とを内周側へシフトさせた場合は、ユーザデータの最終アドレス（ラストアドレス）が、光ディスク記録再生装置により、ＲＭＡ８２，９１内のＲＭＤへ記録される。このラストアドレスが記録される領域は、図２の（ｂ）〜（ｅ）により示されるＢＰ（バイトポジション）＃２５〜２７である。但し、ＢＰ＃２５〜２７は１層構成のＤＶＤ−Ｒにおけるラストアドレスを記録する領域であるため、２層構成でのラストアドレスを記録する領域は１層構成でラストアドレスを記録する領域とは別にした方が混同を避けることができる。２層構成のラストアドレスを記録する新たなＢＰとしては、図２の（ｄ）及び（ｅ）に示したようにＢＰ＃１２５までは１層構成におけるコピープリピット情報を記録する領域であるため、ＢＰ＃１２５から数バイト間隔を持たせたＢＰ、例えばＢＰ＃１２７まではリザーブとしＢＰ＃１２８〜１３１に２層構成のラストアドレス（通常はミドルエリアの開始アドレス）を割り当てても良い。
【０１３２】
なお、記録層Ｌ０の外周ＰＣＡ８６、記録層Ｌ１の外周ＰＣＡ８７を内周側へシフトしてテスト記録を行った際に、光ディスク４０のＲＭＡ８２，９１には、外周ＰＣＡ８６，８７を内周側へシフトして用いたことを表す情報が、光ディスク記録再生装置により記録される。例えば、記録層Ｌ０の外周ＰＣＡ８６を内周側へシフトしてテスト記録を行った場合、図１４に示すように、記録層Ｌ０のＲＭＡ８２内のＲＭＤにおけるフィールド＃１４にて、外周ＰＣＡ８６をシフトして使用したか否かを表すフラグが、「使用」を表す値に設定される。例えば、外周ＰＣＡ８６がシフトして使用された場合は、ＢＰ０に０００１ｂ、シフトしない場合は００００ｂが設定される。
【０１３３】
以上のとおり、本実施形態にかかる光ディスク４０では、複数の記録層のそれぞれに外周ＰＣＡが設けられているので、各記録層へ記録を行う際に、記録速度等に応じて、当該記録層の外周ＰＣＡを用いたテスト記録を行うことが可能である。
【０１３４】
また、図１０に示すように、図８（Ｃ）、図８（Ｄ）、および図８（Ｅ）に示した記録方法により、記録層Ｌ０のミドルエリア８５および外周ＰＣＡ８６と、記録層Ｌ１のミドルエリア８８および外周ＰＣＡ８７とを内周側へシフトさせた場合は、データエリアの未記録領域へダミーデータを書き込む処理が不要となるため、ファイナライズ処理に要する時間を短縮することができる。この結果、ユーザデータの記録を短時間で完了できるという利点がある。
【０１３５】
さらに、本実施形態では、記録速度に応じて各記録層において内周ＰＣＡと外周ＰＣＡとを使い分けるものとしたが、参考例に記載したように、低速記録であっても、内周ＰＣＡと外周ＰＣＡとの両方にテスト記録を行うことにより、ディスクの内外周で生じる記録感度の差に応じて記録パワーの補正を行うことも可能である。また、参考例で説明したように、ディスク表面に傷や汚れが生じた場合等に備えて、同一記録層における内周ＰＣＡと外周ＰＣＡのテスト記録パターンを互いの領域にコピーすることも好ましい。さらに、外周ＰＣＡに関する管理情報を記録するＲＭＡを外周側にも設けても良いし、その場合に、内周ＲＭＡと外周ＲＭＡの情報を互いの領域にコピーすることもより好ましい。
【０１３６】
なお、本実施形態では、片面二層構造の光ディスク４０を例示したが、本発明は、三層以上の光ディスクへも適用できることは明らかである。また、複層構造の光ディスクを２枚貼り合わせた構造のディスクにも、本発明を適用することができる。
【０１３７】
また、上述の実施形態では何れも追記型光ディスクのＤＶＤ−Ｒを中心として説明したが、本発明の外周ＰＣＡ及び／または外周ＲＭＡは、相変化型光ディスクにも同様に適用することができる。但し、書換型光ディスクにおける、データ領域に記録されたユーザデータの消去、及び記録されたユーザデータの上に別のユーザデータを記録（すなわち、記録されたユーザデータを消去し、別のユーザデータを重ね書き）するオーバーライトは、追記型光ディスクにはない機能である。この消去またはオーバーライトをする際には、当該消去またはオーバーライト対象のユーザデータに関する外周テスト記録パターン及び／または外周記録管理情報も消去またはオーバーライトすることで、当該ユーザデータの消去またはオーバーライトを保証することができる。また、外周テスト記録パターンや外周記録管理情報の記録領域の容量（例えば、ＰＣＡでは２００ＥＣＣ）を有効に利用することができる。なお、外周ＰＣＡが内周側にシフトされた場合、ユーザデータを新たに記録する際には、外周ＰＣＡの全てを消去またはオーバーライトしても構わない。
【０１３８】
図１５および図１６は、外周側にもＲＭＤを記録する領域（ＲＭＡ３２１）が設けられている場合の物理フォーマットを示す。図２で説明した内周ＲＭＡ１０２の構成と同様に、外周側のＲＭＡ３２１においても、図１６に示すとおり、ＲＭＡ３２１は７０１個のＥＣＣブロックから成る。すなわち、各ＲＭＤに１つのＥＣＣブロックが割り当てられる。各ＥＣＣブロックは、１６個のセクタを含む。セクタはフィールドの先頭から＃０から＃１４までの番号が付けられており、２番目のフィールド＃１には、ＯＰＣ関連の情報が格納される。ＯＰＣ関連の情報とは、例えば、ドライブ製造ＩＤ、シリアルナンバー、記録パワー、記録ストラテジコード等の情報である。
【０１３９】
図１６の（ｆ）に示すように、２番目のフィールド＃１の内、バイトポジションＢＰ＃０〜＃１２７にはタイトルＴ１を記録した時の記録条件の情報が格納されている。また、ＢＰ＃１２８〜＃２５５はタイトルＴ２を記録した時、ＢＰ＃２５６〜＃３８３はタイトルＴ３を記録した時の記録条件の情報が格納されている。
【０１４０】
図１５（Ａ）〜図１５（Ｃ）は、ユーザデータであるタイトルＴ３のコンテンツを消去する動作を示す。ユーザの指示に従ってタイトルＴ３のコンテンツを消去した後、記録再生装置は、記録Ｔ３に該当する記録管理情報であるＲＭＤ情報ＢＰ＃２５６〜＃３８３も消去する。
【０１４１】
図１５（Ｂ）はタイトルＴ３のコンテンツを消去後の状態を示す。ユーザにとって不要となったタイトルＴ３のコンテンツが消去されると、記録再生装置が、図１５（Ｂ）および図１５（Ｃ）に示すように、タイトルＴ３の記録管理情報も消去することにより、ユーザデータとＲＭＡ３２１の空き容量が増え、ＲＭＡ３２１を有効に使用することができる。
【０１４２】
なお、上記では、コンテンツの消去に伴い、ＲＭＡ３２１において当該コンテンツに対応するＲＭＤ情報を消去する例だけを説明したが、内周側のＲＭＡ１０２に対しても同様に、当該コンテンツに対応するＲＭＤ情報の消去を行っても良い。
【０１４３】
また、本実施形態では、ＲＭＤ情報の消去について述べたが、外周でのテスト記録パターンが記録されるＰＣＡ３２０についても、コンテンツに該当するテスト記録パターンを消去することにより、同様の効果を得ることができる。
【産業上の利用可能性】
【０１４４】
本発明は高速で記録するＤＶＤ−Ｒ、ＤＶＤ−ＲＡＭ、ＤＶＤ−ＲＷ、ＤＶＤ＋Ｒ、ＤＶＤ＋ＲＷ等の記録型ＤＶＤや、青色レーザを使用したブルーレイディスクやＡＯＤ等、光ディスクを用いる記録再生装置に適用可能である。
【図面の簡単な説明】
【０１４５】
【図１】図１は、参考例にかかる情報記録媒体における外周ＰＣＡとレコーダブルエリアの関係を示す断面模式図である。
【図２】図２は、ＤＶＤ−Ｒ論理フォーマットの概念図である。
【図３】図３は、ＰＣＡ記録選択の概念図である。
【図４（Ａ）】図４（Ａ）は８倍速記録時の半径位置とジッタの関係を示すグラフである。
【図４（Ｂ）】図４（Ｂ）は８倍速記録時の半径位置と記録パワーの関係を示すグラフである。
【図５】図５は、情報記録再生装置の構成を示すブロック図である。
【図６】図６は、情報記録再生装置の動作を表すフローチャートである。
【図７】図７は、本発明の実施形態にかかる情報記録媒体の構成を示す断面図である。
【図８（Ａ）】図８（Ａ）は、本発明の実施形態にかかる情報記録媒体に対する記録モードの一例を示す模式図である。
【図８（Ｂ）】図８（Ｂ）は、本発明の実施形態にかかる情報記録媒体に対する記録モードの一例を示す模式図である。
【図８（Ｃ）】図８（Ｃ）は、本発明の実施形態にかかる情報記録媒体に対する記録モードの一例を示す模式図である。
【図８（Ｄ）】図８（Ｄ）は、本発明の実施形態にかかる情報記録媒体に対する記録モードの一例を示す模式図である。
【図８（Ｅ）】図８（Ｅ）は、本発明の実施形態にかかる情報記録媒体に対する記録モードの一例を示す模式図である。
【図９】図９は、記録層Ｌ０のデータエリアの最外周まで記録が完了した後に、記録層Ｌ１のデータエリアの最外周から記録を開始する場合について、光ディスク４０の記録層Ｌ０、Ｌ１のエリア構造を示す断面模式図である。
【図１０】図１０は、記録層Ｌ０のデータエリアの最外周まで記録が完了する前に記録層Ｌ１への記録を開始する場合について、光ディスク４０の記録層Ｌ０、Ｌ１のエリア構造を示す断面模式図である。
【図１１】図１１は、光ディスク４０の製造時に記録済みのミドルエリア９３，９４よりも内周側にミドルエリア８５，８８および外周ＰＣＡ８６，８７の全体をシフト配置した様子を示す断面模式図である。
【図１２】図１２は、本発明の実施形態にかかる情報記録媒体のＰＣＡの構造を示す断面模式図である。
【図１３】図１３は、本発明の実施形態にかかる情報記録媒体のＰＣＡの構造を示す断面模式図である。
【図１４】図１４は、本発明の実施形態にかかるＲＭＤフィールドの概念図である。
【図１５（Ａ）】図１５（Ａ）は、コンテンツを消去する際に外周側のＲＭＡからＲＭＤ情報も消去する動作を説明する図であって、消去前の状態を示す。
【図１５（Ｂ）】図１５（Ｂ）は、コンテンツを消去する際に外周側のＲＭＡからＲＭＤ情報も消去する動作を説明する図であって、タイトルが消去された状態を示す。
【図１５（Ｃ）】図１５（Ｃ）は、コンテンツを消去する際に外周側のＲＭＡからＲＭＤ情報も消去する動作を説明する図であって、ＲＭＤ情報が消去された状態を示す。
【図１６】図１６は、ＤＶＤ−Ｒ論理フォーマットの概念図である。
【図１７】図１７は、従来のＤＶＤ−Ｒの内周ＰＣＡの概念図である。
【図１８】図１８は、従来のＤＶＤ＋ＲＷの外周ＰＣＡの概念図である。
【図１】
0004476938.tif 000002
【図２】
0004476938.tif 000003
【図３】
0004476938.tif 000004
【図４（Ａ）】
0004476938.tif 000005
【図４（Ｂ）】
0004476938.tif 000006
【図５】
0004476938.tif 000007
【図６】
0004476938.tif 000008
【図７】
0004476938.tif 000009
【図８（Ａ）】
0004476938.tif 000010
【図８（Ｂ）】
0004476938.tif 000011
【図８（Ｃ）】
0004476938.tif 000012
【図８（Ｄ）】
0004476938.tif 000013
【図８（Ｅ）】
0004476938.tif 000014
【図９】
0004476938.tif 000015
【図１０】
0004476938.tif 000016
【図１１】
0004476938.tif 000017
【図１２】
0004476938.tif 000018
【図１３】
0004476938.tif 000019
【図１４】
0004476938.tif 000020
【図１５（Ａ）】
0004476938.tif 000021
【図１５（Ｂ）】
0004476938.tif 000022
【図１５（Ｃ）】
0004476938.tif 000023
【図１６】
0004476938.tif 000024
【図１７】
0004476938.tif 000025
【図１８】
0004476938.tif 000026